(57)【要約】【課題】所望の色の光を外面の着色層から外部に放出できる冷蔵庫を提供する。【解決手段】  表示部１６は、光を発光する発光部（１００Ｗ）と、着色層２０２と発光部（１００Ｗ）の間に配置され、光を透過させる透光領域１０７１および光を遮断する遮光領域１０７２を有する銘板フィルム１０７と、着色層２０２と発光部（１００Ｗ）の間に配置され、所定の波長域の光エネルギーを低下させる偏光板１０４とを備える。【選択図】図３
2018123996.tif 000002
【特許請求の範囲】
【請求項１】
表示部を備える冷蔵庫において、
前記冷蔵庫の外面は透光性を有する着色層を有し、
前記表示部は、
光を発光する発光部と、
前記着色層と前記発光部の間に配置され、光を透過させる透光領域および光を遮断する遮光領域を有する銘板フィルムと、
前記着色層と前記発光部の間に配置され、所定の波長域の光エネルギーを低下させる偏光板とを備えることを特徴とする冷蔵庫。
【請求項２】
前記銘板フィルムにおける２以上の領域のそれぞれについて、対応する波長域の光エネルギーを低下させる前記偏光板を備えることを特徴とする請求項１記載の冷蔵庫。
【請求項３】
前記発光部は、３色の光を発する前記色ごとの発光体を備えることを特徴とする請求項１または２記載の冷蔵庫。
【請求項４】
前記冷蔵庫の外面に操作部を備え、
前記発光部は、
前記操作部において指定された色の光が前記着色層から放出するように発光することを特徴とする請求項１ないし３のいずれかに記載の冷蔵庫。
【請求項５】
前記冷蔵庫の外面に操作部を備え、
前記発光部は、
前記操作部において指定された明るさの光が前記着色層から放出するように発光することを特徴とする請求項１ないし３のいずれかに記載の冷蔵庫。
【請求項６】
前記発光部の周囲の前記着色層側に空間を有することを特徴とする請求項１ないし５のいずれかに記載の冷蔵庫。
【請求項７】
前記透光領域の少なくとも一部が着色されていることを特徴とする請求項１ないし６のいずれかに記載の冷蔵庫。
【請求項８】
前記表示部は、
前記冷蔵庫の使用者を静電気により検出するための電極フィルムを、前記着色層と前記発光部の間に備え、
前記偏光板は、前記電極フィルムと前記発光部の間に配置されることを特徴とする請求項１ないし７のいずれかに記載の冷蔵庫。
【発明の詳細な説明】
【技術分野】
【０００１】
本発明は、冷蔵庫に関する。
【背景技術】
【０００２】
従来の冷蔵庫の中には、美観向上のため、冷蔵庫の外面に着色層を備えたものがある。例えば、扉の着色層の庫内側には表示部が配置され、表示部の発光ダイオードの光が着色層を通過し外部に放出する。これにより、冷蔵庫の状態などを知ることができる。
【先行技術文献】
【特許文献】
【０００３】
【特許文献１】特開２０１４−３１９５８号公報
【特許文献２】特開２０１６−３８１３７号公報
【発明の概要】
【発明が解決しようとする課題】
【０００４】
しかし、着色層を通過することに起因して、外部に放出する光を所望の色にできない場合がある。例えば、赤色の着色層と白色の発光ダイオードを用いると、外部に放出する光の色が赤みがかり、白色にできない。例えば、光の出る部分だけ着色層を取り除けば、赤みがかりを防止できるが、美観が低下し、望ましくない。
【０００５】
本発明は、上記課題に鑑みてなされたものであり、所望の色の光を外面の着色層から外部に放出できる冷蔵庫を提供することを目的とする。
【課題を解決するための手段】
【０００６】
実施形態の冷蔵庫は、表示部を備え、冷蔵庫の外面は透光性を有する着色層を有し、表示部は、光を発光する発光部と、着色層と発光部の間に配置され、光を透過させる透光領域および光を遮断する遮光領域を有する銘板フィルムと、着色層と発光部の間に配置され、所定の波長域の光エネルギーを低下させる偏光板とを備える。
【図面の簡単な説明】
【０００７】
【図１】図１は、本発明の一実施形態に係わる冷蔵庫の全体構造を示す斜視図である。
【図２】図２は、表示部１６に含まれる銘板フィルムの平面図である。
【図３】図３は、図２におけるＡＡ線の断面を模式的に示す図である。
【図４】図４は、表示部１６の構成部品の一部を示す分解図である。
【図５】図５は、白色光が赤の着色層２０２を通過して放出されたときの光のエネルギーを示す図である。
【図６】図６は、変形例１における表示部１６の構成部品の一部を示す分解図である。
【図７】図７は、変形例２における銘板フィルムの平面図である。
【図８】図８は、変形例３における銘板フィルムの平面図である。
【図９】図９は、変形例４における銘板フィルムの平面図である。
【発明を実施するための形態】
【０００８】
以下、図面を用いて、本発明の実施形態について説明する。
【０００９】
本発明の一実施形態に係わる冷蔵庫の全体構造を示す斜視図である。図１に示す冷蔵庫１は、その本体が内箱と外箱との間に真空断熱材を挟んで構成される断熱箱体３で構成され、この断熱箱体３は、天井となる上面壁を構成する上面板状部５、底面壁を構成する底面板状部７、左側壁を構成する左側板状部９、右側壁を構成する右側板状部１１および背面壁を構成する背面板状部１３で構成されている。
【００１０】
なお、図１においては、右側板状部１１、背面板状部１３および底面板状部７は、背後に隠れている。また、上面板状部５、底面板状部７、左側板状部９、右側板状部１１および背面板状部１３を総称して記載する場合には、単に板状部と称することにする。
【００１１】
また、前記複数の板状部で上下左右および背部を囲まれた断熱箱体３の前面の開口部には、観音開き式の冷蔵室扉１５、引き出し式の野菜室扉１７、引き出し式の製氷室扉１９、引き出し式の第１の冷凍室扉２１、および引き出し式の第２の冷凍室扉２３が取り付けられている。なお、第２の冷凍室扉２３は、製氷室扉１９の横に並んで設けられている。なお、これらの冷蔵室扉１５、野菜室扉１７、製氷室扉１９、第１の冷凍室扉２１および第２の冷凍室扉２３の奥の断熱箱体３内には、それぞれ冷蔵室、野菜室、製氷室、第１の冷凍室および第２の冷凍室が設けられているものである。
【００１２】
また、冷蔵室扉１５には、冷蔵庫１の設定などを行う際の表示を行う表示部１６が設けられている。表示部１６には、ここでは、設定などを行うための操作部が含まれることとする。
【００１３】
図２は、表示部１６に含まれる銘板フィルムの平面図である。図３は、図２におけるＡＡ線の断面を模式的に示す図である。図４は、表示部１６の構成部品の一部を示す分解図である。
【００１４】
図３、図４に示すように表示部１６は、白色光を発光する発光体１００Ｗ（発光部ともいう）を搭載した基板１０１と、基板１０１を収納するケース１０２と、基板１０１上に配置される遮蔽部材１０３と、遮蔽部材１０３上に配置される偏光板１０４と、偏光板１０４上に配置される透光部材１０５と、透光部材１０５上に配置される電極フィルム１０６と、電極フィルム１０６上に配置される銘板フィルム１０７とを備える。図３においてケース１０２の下側は庫内となっている。ここでは、発光体１００Ｗは発光ダイオードとする。
【００１５】
発光体１００Ｗ（発光ダイオード）としては、主に窒化ガリウム(GaN)を材料とする青色発光ダイオードとこの青色発光ダイオードの光により励起されて光を放つ蛍光体とを組み合わせた蛍光体方式の発光ダイオードを使用できる。
【００１６】
図３、図４に示すように偏光板１０４は電極フィルム１０６と発光部の間に配置される。偏光板１０４は、所定の波長域の光を拡散することで、当初の光の進行方向における光エネルギーを低下させる機能を有する。
【００１７】
また、図３に示すように、発光体１００Ｗ（発光部）の周囲の着色層２０２側に空間１００ｓを有する。
【００１８】
なお、発光部は、白の発光体Ｗに限らず、赤色、緑色、青色の発光ダイオードを組み合わせて白色光を発光させてもよい。緑色の発光ダイオードには、例えば、インジウム窒化ガリウム(InGaN)/窒化ガリウム (GaN)/アルミニウム窒化ガリウム (AlGaN)/リン化ガリウム(GaP)/セレン化亜鉛(ZnSe)などが使用される。他の材料を用いてもよい。赤色の発光ダイオードには、アルミニウムガリウムヒ素 (AlGaAs) /ガリウムヒ素リン(GaAsP) /リン化ガリウム(GaP)などが使用される。他の材料を用いてもよい。赤色、緑色、青色の発光ダイオードを組み合わせることにより、様々な色の光を発光することができる。また、１色または２色構成としてもよい。
【００１９】
また、表示を行う位置により発光部の構成を異ならせてもよい。例えば、図２の符号１６Ａの部分は操作部を兼ねており、この部分では白の発光体を用い、その他の部分では１色ないし３色の発光体を用いてもよい。
【００２０】
図２に示すように銘板フィルム１０７は、光を透過させる透光領域１０７１および光を遮断する遮光領域１０７２とを有する。透光領域１０７１は、銘板フィルム１０７の例えば文字や図形の部分であり、遮光領域１０７２は残りの、所謂「地」の部分である。
【００２１】
図３に示すように冷蔵室扉１５は、表示部１６の銘板フィルム１０７上に配置される黒抑え層２０１と、黒抑え層２０１上に配置される透光性を有する着色層２０２と、着色層２０２上に配置される蒸着層２０３と、蒸着層２０３上に配置されるガラス板２０４とを備える。図３においてガラス板２０４の上側は冷蔵庫１の外部となっている。
【００２２】
このように着色層２０２は表示部１６上に配置されており、よって、偏光板１０４、電極フィルム１０６および銘板フィルム１０７は、着色層２０２と発光部の間に配置される。
【００２３】
また、冷蔵庫の外面を構成する冷蔵室扉１５は、透光性を有する着色層２０２を有している。
【００２４】
例えば、発光体１００Ｗから発光した光は、空間１００ｓで拡散し、偏光板１０４、透光部材１０５、電極フィルム１０６および銘板フィルム１０７の透光領域１０７１を順次に通過する。透光領域１０７１を通過した光は黒抑え層２０１、着色層２０２、蒸着層２０３およびガラス板２０４を順次に通過し、外部に放出する。これにより、透光領域１０７１の形状が光って見える。例えば、図２における冷蔵の文字とこれを囲む線から光が放出し、光って見える。
【００２５】
また、使用者が、冷蔵室扉１５における操作部上の部分に触れると、電極フィルム１０６における静電容量値が変化する。基板１０１に搭載される制御回路（図示せず）はこのような静電容量値の変化を検出した場合、冷蔵庫１の状態制御回路（図示せず）に通知し、冷蔵庫１の状態を変化させる。また、必要に応じて、基板１０１上の発光部を制御し、上記のように、文字などの部分を点灯または消灯する。すなわち、電極フィルム１０６は、冷蔵庫の使用者を静電気により検出するためのものである。
【００２６】
このように、操作部では、静電容量値を正しく検出する必要がある。仮に偏光板１０４を電極フィルム１０６と銘板フィルム１０７の間に配置した場合、静電容量値が低く、検出精度が低下する。しかし、実施形態では、偏光板１０４を電極フィルム１０６と発光部の間に配置したので、静電容量値が高く、検出精度を高めることができる。
【００２７】
図５は、白色光が赤の着色層２０２を通過して放出されたときの光のエネルギーを示す図である。
仮に偏光板１０４を使用しない場合、符号Ａで示すように、波長６００ｎｍ近傍で光のエネルギーが高い。波長６００ｎｍ近傍は、赤色と認識される波長域であり、透光領域１０７１の文字などが赤みがかって見え、美観を損ねる場合がある。
【００２８】
これに対し、偏光板１０４を使用した場合、符号Ｂで示すように、波長６００ｎｍ近傍で光のエネルギーは低い。これにより、表示部１６の文字などが白く見え、美観を向上できる。
【００２９】
以上のように、実施形態の冷蔵庫によれば、表示部１６は、着色層２０２と発光部の間に配置され、所定の波長域の光エネルギーを低下させる偏光板１０４とを備えるので、銘板フィルム１０７の透光領域１０７１と着色層２０２を通過して外部に放出する光の色を所望の色にできる。よって、着色層２０２の色によらず、所望の色の光を得ることができる。
【００３０】
なお、上記実施形態では、偏光板１０４は、銘板フィルム１０７と発光部の間に配置したが、銘板フィルム１０７を偏光板１０４と発光部の間に配置してもよい。この場合、銘板フィルム１０７の透光領域１０７１を通過した光のうち、所定の波長域の光のエネルギーが偏光板１０４により低下し、着色層２０２を通過して外部に放出する。よって、着色層２０２を通過して外部に放出する光の色を所望の色にできる。
【００３１】
また、発光部（１００Ｗ）の周囲の着色層２０２側に空間１００ｓを有するので、空間１００ｓ内で光が拡散し、もって広い面積で表示を行うことができる。
【００３２】
また、エネルギーが低下する波長域の光は、偏光板１０４内で拡散するので、その光を積極的に用いることで、より広い面積で表示を行うことも可能である。
【００３３】
また、上記実施形態では、表示部１６を冷蔵庫の扉に設けたが、着色層２０２を有する冷蔵庫の外面であれば、扉以外に設けてもよい。
【００３４】
（変形例１）
また、銘板フィルム１０７における２以上の領域のそれぞれについて、対応する波長域の光エネルギーを低下させる偏光板を備えてもよい。例えば、図６に示すように、銘板フィルム１０７の右半分の操作部に相当する領域に、例えば、６００ｎｍ近傍の波長域の光エネルギーを低下させる偏光板１０４Ａを配置し、銘板フィルム１０７の左半分に相当する領域に、他の波長域の光エネルギーを低下させる偏光板１０４Ｂを配置する。これにより、銘板フィルム１０７の右半分と左半分の光の色を別々に調整できる。
【００３５】
（変形例２）
また、操作部１６Ａにおいて指定された明るさの光が着色層から放出するようにしてもよい。例えば、図７に示すように、例えば「明るさ」の文字で構成されるメニュー項目ｍ５の部分に触れるごとに、「明るい」の文字で構成される選択肢ｍ５１と「暗い」の文字で構成される選択肢ｍ５２を切り替えて発光させる。メニュー項目ｍ６の部分に触れたときに選択肢ｍ５１が発光していた場合は、表示部１６全体の明るさを明るめにし、選択肢ｍ５２が発光していた場合は暗めにする。かかる制御は、基板１０１に搭載される制御回路が行う。このように、変形例３によれば、使用者の所望の明るさの光が得られるので利便性を向上できる。
【００３６】
（変形例３）
また、操作部１６Ａにおいて指定された色の光が着色層から放出するようにしてもよい。例えば、図８に示すように、例えば「色」の文字で構成されるメニュー項目ｍ５の部分に触れるごとに、「ピンク」の文字で構成される選択肢ｍ５１と「白」の文字で構成される選択肢ｍ５２と「黄色」の文字で構成される選択肢ｍ５３を切り替えて発光させる。メニュー項目ｍ６の部分に触れたときに選択肢ｍ５１が発光していた場合は、表示部１６から放出する光の色をピンクとし、選択肢ｍ５２が発光していた場合は白にし、選択肢ｍ５３が発光していた場合は黄色にする。かかる制御は、基板１０１に搭載される制御回路が行う。このように、変形例４によれば、使用者の所望の色の光が得られるので利便性を向上できる。
【００３７】
（変形例４）
また、銘板フィルム１０７における透光領域１０７１の少なくとも一部を着色してもよい。例えば、図９に示すように、操作部１６Ａの円の部分と、冷蔵や冷凍の強さを設定するための図形の部分は透光領域１０７１なので、この透光領域１０７１を塗装などによって着色する。これにより、着色した透光領域１０７１の部分から放出される光の色の純度を高めることができる。
【００３８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１  冷蔵庫
１６  表示部
１０４  偏光板
１００Ｗ  発光体（発光部）
１００ｓ  空間
１０７  銘板フィルム
２０２  着色層
１０７１  透光領域
１０７２  遮光領域
【図１】
2018123996.tif 000003
【図２】
2018123996.tif 000004
【図３】
2018123996.tif 000005
【図４】
2018123996.tif 000006
【図５】
2018123996.tif 000007
【図６】
2018123996.tif 000008
【図７】
2018123996.tif 000009
【図８】
2018123996.tif 000010
【図９】
2018123996.tif 000011